(57)【要約】【課題】簡単な構成により、ゾーン表示部の見栄え及び視認性を向上させることができる指針装置を提供する。【解決手段】内機の回転軸に固定された指針が、文字板２１の背面、文字板２１の外側面及び文字板２１の正面の順に沿って設けられる。文字板２１の正面に沿って設けられた指針の先端部が、文字板２１とリング部２３との間に設けられる。リング部２３の正面にリング遮光層２３２が、設けられ、リング部２３の外周に沿った帯状のゾーン表示部２３３が、リング遮光層２３２を除かれて設けられる。そして、ゾーン表示部２３３に対向する文字板２１の正面に所定色の文字板着色層２１５が設けられている。【選択図】図４
2008020388.tif 000002
【特許請求の範囲】
【請求項１】
指標が形成された文字板と、その文字板の正面側の外周縁部を覆うように設けられた透明部材で構成されたリング部と、前記文字板に形成された指標を指示する指針と、前記文字板の背面側に設けられた、前記指針を回転駆動する、内機とを有する指針装置において、
前記文字板の正面に沿って設けられた指針の一部が、前記文字板と前記リング部との間に設けられ、
前記リング部の正面にリング遮光層が、設けられ、
前記リング部の外周に沿った帯状のゾーン表示部が、前記リング遮光層を除いて設けられ、
前記ゾーン表示部に対向する前記文字板の正面に所定色の文字板着色層が設けられていることを特徴とする指針装置。
【請求項２】
前記内機の回転軸に固定された前記指針が、前記文字板の背面、前記文字板の外側面及び前記文字板の正面の順に沿って設けられたことを特徴とする請求項１記載の指針装置。
【請求項３】
前記リング部に沿って立設され前記リング部の背面を支持する立壁が設けられ、
そして、前記文字板着色層に沿った前記立壁の内側面に前記文字板着色層と同色の立壁着色層が設けられていることを特徴とする請求項１又は２記載の指針装置。
【請求項４】
前記指針が導光部材で構成されていることを特徴とする請求項１〜３何れか１項記載の指針装置。
【請求項５】
前記文字板が、透光基板と、該透光基板の正面に設けられた文字板遮光層とを有し、
前記指標及び前記文字板着色層が、前記文字板遮光層を除いて設けられ、
そして、前記文字板の背面側に配置された文字板用光源が設けられていることを特徴とする請求項１〜４何れか１項記載の指針装置。
【請求項６】
前記文字板の中央部には開口が設けられ、前記文字板の開口の背面側には表示器が配置されていることを特徴とする請求項１〜５何れか１項記載の指針装置。
【発明の詳細な説明】
【技術分野】
【０００１】
本発明は、指針装置に係り、特に、文字板の外周縁を覆う透明部材で構成されたリング部を有する指針装置に関するものである。
【背景技術】
【０００２】
自動車に搭載される指針装置において、従来、立体目盛りを有するリング部が文字板に取り付けられて構成される指針装置が提案されている。図９は、従来提案されている指針装置の要部を示す斜視図である。図１０は、図９に示した要部に対応する断面図である。図１１は、従来の問題点を説明するための上面図である。
【０００３】
この指針装置は、例えば、自動車用のアナログ表示式エンジン回転計が想定され、リング部１０、文字板２０、導光板４０及び光源５１を搭載する基板５０を含んで構成される。リング部１０には、視認性及び見栄えを向上させるために、天面部１１１及び側面部１１２を有する立体目盛り１１ｒが凸設されている。特に、レッドゾーン（危険区間）に対応する立体目盛り１１ｒの天面部１１１は、鏡面仕上げされた後に赤色系で着色される。
【０００４】
黒色のベース色の文字板２０には、数字で表された目盛り２０１等が形成されている。文字板２０の裏面には、文字板２０裏面に光源５１からの光を導く導光板４０が配置されている。更に、導光板４０から離間して基板５０が配置されている。基板５０は、指針を回転させるためのモータ、その他の電子部品、光源５１等を搭載している。光源５１は、上記リング部１０、導光板４０、指針等に所定光を供給する。
【０００５】
図１１に示すように、立体目盛り１１ｒを含むアクリル樹脂製のリング部１０には、プライマ層である青色クリアー層８１、蒸着層であるシルバー層８２、及びトップコート層であるマットクリア層８３の３層がこの順に形成される。これら３層は、遮光層８０を構成し、レッドゾーンに対応する立体目盛り１１ｒの天面部１１１のみ、上記遮光層８０がアクリルに到達するまで削りとられたうえでその表面のみが鏡面仕上げされる。そして、鏡面仕上げされたレッドゾーンに対応する立体目盛り１１ｒの天面部１１１に、パッド印刷機９０を用いて赤色インク９１のパッド印刷が施される。
【０００６】
なお、この出願の発明に関連する先行技術文献情報としては次のものがある。
【特許文献１】特開平１０−２４０１７９号公報
【発明の開示】
【発明が解決しようとする課題】
【０００７】
ところが、上述のような構成によると、赤色インク９１が天面部１１１にうまく乗らず、図１０及び図１１に示すように、クリア面ａ（上記鏡面仕上げされた天面の一部）が残ってしまうことが多い。すなわち、いびつな輪郭の赤色層９２が形成されることが多い。このような状態で、夜間等に光源５１が点灯されると、図１１に示すように、いびつな輪郭の赤色層９２が強調されてドライバ等に視認されてしまうことになる。そうすると、見栄えが悪くなると同時に視認性も低下するという問題があった。
【０００８】
本発明はかかる問題を解決することを目的としている。即ち、本発明は、簡単な構成により、ゾーン表示部の見栄え及び視認性を向上させることができる指針装置を提供することを課題としている。
【課題を解決するための手段】
【０００９】
上記課題を解決するためになされた請求項１記載の発明は、指標が形成された文字板と、その文字板の正面側の外周縁部を覆うように設けられた透明部材で構成されたリング部と、前記文字板に形成された指標を指示する指針と、前記文字板の背面側に設けられた、前記指針を回転駆動する、内機とを有する指針装置において、前記文字板の正面に沿って設けられた指針の一部が、前記文字板と前記リング部との間に設けられ、前記リング部の正面にリング遮光層が、設けられ、前記リング部の外周に沿った帯状のゾーン表示部が、前記リング遮光層を除いて設けられ、前記ゾーン表示部に対向する前記文字板の正面に所定色の文字板着色層（ゾーン表示用着色層）が設けられていることを特徴とする指針装置に存する。
【００１０】
請求項１記載の発明によれば、指針の一部が文字板とリング部との間に設けられているため、文字板とリング部とが十分離間している。そして、リング部の正面にリング遮光層が設けられ、リング部の外周に沿った帯状のゾーン表示部がリング遮光層を除いて設けられ、そして、ゾーン表示部に対向する文字板の正面に所定色の文字板着色層が設けられている。従って、リング部に設けた帯状のゾーン表示部を通してリング部から十分離間して配置された文字板上の文字板着色層が視認され、ゾーン表示部に立体感を持たせることができる。また、指針の先端部がゾーン表示部下を移動する際はゾーン表示部を通して文字板上に先端部の長さを延長して見せることができる。しかも、文字板着色層を平面な文字板上に設けることができる。
【００１１】
請求項２記載の発明は、前記内機の回転軸に固定された前記指針が、前記文字板の背面、前記文字板の外側面及び前記文字板の正面の順に沿って設けられたことを特徴とする請求項１記載の指針装置に存する。
【００１２】
請求項２記載の発明によれば、指針が、文字板の背面、文字板の外側面及び文字板の正面の順に沿って設けられているので、文字板正面の中央部で指針が回動することなく文字板上を指示することができる。
【００１３】
請求項３記載の発明は、前記リング部に沿って立設され前記リング部の背面を支持する立壁が設けられ、そして、前記文字板着色層に沿った前記立壁の内側面に前記文字板着色層と同色の立壁着色層が設けられていることを特徴とする請求項１又は２記載の指針装置に存する。
【００１４】
請求項３記載の発明によれば、リング部に沿って立設されリング部の背面を支持する立壁が設けられ、文字板着色層に沿った立壁の内側面に文字板着色層と同色の立壁着色層が設けられているので、斜め方向から視認するとリング部に設けた帯状のゾーン表示部を通して立壁の内側面に設けた立壁着色層が視認される。
【００１５】
請求項４記載の発明は、前記指針が導光部材で構成されていることを特徴とする請求項１〜３何れか１項記載の指針装置に存する。
【００１６】
請求項４記載の発明によれば、指針が導光部材で構成されているため、指針の先端部がゾーン表示部下を移動する際は指針も所定色に着色されて視認される。
【００１７】
請求項５記載の発明は、前記文字板が、透光基板と、該透光基板の正面に設けられた文字板遮光層とを有し、前記指標及び前記文字板着色層が、前記文字板遮光層を除いて設けられ、そして、前記文字板の背面側に配置された文字板用光源が設けられていることを特徴とする請求項１〜４何れか１項記載の指針装置に存する。
【００１８】
請求項５記載の発明によれば、指標及び文字板着色層が透光基板正面に設けた文字板遮光層を除いて設けられ、そして、文字板の背面側に文字板用光源を設けているので、文字板用光源からの光が文字板着色層、リング部のゾーン表示部を通って正面側に出射される。
【００１９】
請求項６記載の発明は、前記文字板の中央部には開口が設けられ、前記文字板の開口の背面側には表示器が配置されていることを特徴とする請求項１〜５何れか１項記載の指針装置に存する。
【００２０】
請求項６記載の発明によれば、文字板の中央に設けた開口の背面に表示器を配置する構成においてゾーン表示部に立体感を持たせることができる。
【発明の効果】
【００２１】
以上説明したように請求項１記載の発明によれば、リング部に設けた帯状のゾーン表示部を通してリング部から十分離間して配置された文字板上の文字板着色層が視認され、ゾーン表示部に立体感を持たせることができる。また、指針の先端部がゾーン表示部下を移動する際はゾーン表示部を通して文字板上に先端部の長さを延長して見せることができる。しかも、文字板着色層を平面な文字板上に設けることができるので、生産性の向上を図ると共に、立体感、視認性を向上させることができる。
【００２２】
請求項２記載の発明によれば、文字板正面の中央部で指針が回動することなく文字板上を指示することができるので、指針によって文字板正面の中央部の視認が邪魔されることがない。
【００２３】
請求項３記載の発明によれば、斜め方向から視認するとリング部に設けた帯状のゾーン表示部を通して立壁の内側面に設けた立壁着色層が視認されるので、斜め方向からの視認に対してもゾーン表示部全体が所定色に着色されて視認することができる。
【００２４】
請求項４記載の発明によれば、指針の先端部がゾーン表示部下を移動する際は指針も所定色に着色されて視認されるので、指針がゾーン表示部下を移動していることを強調することができる。
【００２５】
請求項５記載の発明によれば、文字板用光源からの光が文字板着色層、リング部のゾーン表示部を通って正面側に出射されるので、ゾーン表示部を通して文字板上の文字板着色層がよりはっきりと視認される。
【００２６】
請求項６記載の発明によれば、文字板の中央に設けた開口の背面に表示器を配置する構成においてゾーン表示部に立体感を持たせることができるので、立体感、視認性を向上させることができる。
【発明を実施するための最良の形態】
【００２７】
以下、本発明の一実施の形態を図面に基づいて説明する。図１は、本発明の指針装置を組み込んだコンビネーションメータの正面図である。図２は、図１に示すコンビネーションメータを構成する回転計の概念斜示図である。この図２では、回転計の一部を切り欠いて描いている。さらに、回転計を構成する部材が正面から透けて見えるように描いている。図３は、図２に示す回転計の断面図である。図４は、図２に示す回転計の部分断面斜示図である。図５は、図２に示す回転計の断面図である。図６は、図２に示す回転計を構成する文字板の正面図である。図７は、図２に示す回転計を構成するホルダ部、ケーシングの概略正面図である。
【００２８】
このコンビネーションメータ１は、例えば車両のインストルメントパネルに取り付けられる。コンビネーションメータ１には、車両の速度を指示する速度計２（＝指針装置）と、車両のエンジン回転数を指示する回転計３（＝指針装置）と、燃料残量を指示する燃料計４、水温を指示する水温計５と、ウォーニング６とが設けられている。
【００２９】
これら速度計２、回転計３、燃料計４、水温計５及びウォーニング６は、ケーシング７内に収容されている。ケーシング７の正面には見返し８が取り付けられている。見返し８は、上記速度計２、回転計３、燃料計４、水温計５及びウォーニング６に対向する部分に開口が設けられ、ケーシング７内に収容された配線基板や内機などを隠す。また、ケーシング７の正面側には表ガラス９が取り付けられている。
【００３０】
上述した回転計３は、外周に沿ってエンジン回転数を示す数字（＝指標）が形成された円盤状の文字板２１と、この文字板２１の背面に設けた表示器としての液晶ディスプレイ（ＬＣＤ）２２と、この文字板２１の正面側の外周縁部を覆うように設けられた透明部材で構成されたリング部２３と、文字板２１に形成された指標を指示する導光部材で構成された指針２４とを有している。
【００３１】
次に、図２〜図５を参照して回転計３の更に詳細な構成について説明する。なお、速度計２については、回転計３とほぼ同様の構成であるためここでは説明を省略する。図２及び図３に示すように、回転計３は、上記文字板２１及びＬＣＤ２２の背面に配置された配線基板２７を有している。配線基板２７には、ＣＰＵなどの電子部品２５や指針２４を回転駆動するモータなどの内機２６などが搭載されている。また、配線基板２７には、文字板２１を光輝させるための文字板用光源Ｌ１と、指針２４を光輝させるための指針用光源Ｌ２と、リング部２３を光輝させるためのリング用光源Ｌ３とが搭載されている。
【００３２】
上述した透明部材で構成されたリング部２３は、正面視ドーナツ状に形成されている。リング部２３の正面側には、凹状の目盛部２３１が形成されている。図４及び図５に示すように、リング部２３の正面側には例えば印刷により遮光層２３２（リング遮光層）が設けられている。上述した遮光層２３２は、上記目盛部２３１が除かれて設けられている。また、遮光層２３２は、リング部２３の外周に沿った帯状のレッドゾーン表示部２３３（ゾーン表示部）が除かれて設けられている。
【００３３】
レッドゾーン表示部２３３は、図１に示すように、回転数８０００ｒｐｍに対応する目盛部２３１と回転数６０００ｒｐｍに対応する目盛部２３１との間に設けられている。
【００３４】
また、上記リング部２３の外周の一部には、図２及び図３に示すように、その背面からリング用光源Ｌ３に向かって突出したリング受光部２３４が形成されている。リング受光部２３４は、リング用光源Ｌ３に近づくに従って幅が狭くなるように形成されている。
【００３５】
以上の構成により、リング用光源Ｌ３が発光すると、リング用光源Ｌ３からの光がリング部２３のリング受光部２３４に入射される。リング受光部２３４内に入射された光は、リング部２３全体に導光される。リング部２３全体に導光された光は、遮光層２３２が施されていない目盛部２３１、レッドゾーン表示部２３３を通って正面に出射される。これにより、リング用光源Ｌ３が発光すると、リング部２３の目盛部２３１、レッドゾーン表示部２３３が光輝して視認される。
【００３６】
なお、本実施形態では、リング部２３と文字板２１との発光色を異なる色にしている。そこで、リング受光部２３４は、図３及び図７に示すように、後述するケーシング７に設けたリング導光用穴３５内に挿入されている。これにより、ケーシング７が遮光壁として働き、リング受光部２３４には、リング用光源Ｌ３からの光のみが入射され、文字板用光源Ｌ１からの光が入射されることがない。従って、リング用光源Ｌ３と文字板用光源Ｌ１との発光色が混ざった状態でリング部２３が光輝するのを防ぐことができる。
【００３７】
また、リング受光部２３４には、図２に示すように、拡散孔２３５が設けられている。その拡散孔２３５の内周には拡散ピース２３６が取り付けられている。拡散ピース２３６はリング用光源Ｌ３と対向する位置に取り付けられている。拡散ピース２３６は、例えば表面に凹凸を付けるなどの表面加工を施すことにより拡散ピース２３６に入射された光を散乱（拡散）するものである。このようにリング受光部２３４に拡散孔２３５を設け、さらにその拡散孔２３５の内周に拡散ピース２３６を設けることにより、リング用光源Ｌ３からの光が拡散して、リング部２３全体が均一に光輝するようになっている。
【００３８】
上記文字板２１は、図４及び図５に示すように、拡散板２１１の正面に設けられている。文字板２１は、上記拡散板２１１の正面に設けられた透光基板２１２と、透光基板２１２の正面に例えば印刷により設けられた遮光層２１３（文字板遮光層）とから構成されている。文字板２１は、図６に示すように、円盤状に設けられている。文字板２１には、その中央に正面視円形の開口２１４が設けられている。さらに上述した遮光層２１３は透光基板２１２正面の図６中斜線で示す範囲に設けられている。即ち、遮光層２１３は、上述したエンジン回転数を示す数字と、リング部２３に覆われている外周縁部とが除かれて設けられている。
【００３９】
また、文字板２１の外周縁部には、赤色（所定色）の着色層２１５（文字板着色層）が印刷されている。着色層２１５は文字板２１の外周縁部の一点鎖線で示す範囲に設けられる。即ち、着色層２１５は、リング部２３のレッドゾーン表示部２３３に覆われている６（×１０００ｒｐｍ）から８（×１０００ｒｐｍ）に沿った部分に設けられる。着色層２１５は、例えば透光性の赤色インクを印刷や、塗装して設けられる。また、赤色系の透光性を有するシートを貼り付けて設けても良い。
【００４０】
以上の構成によれば、文字板用光源Ｌ１が発光すると、文字板用光源Ｌ１からの光が、文字板２１の背面から入射される。そして、背面から入射された光は、拡散板２１１によって拡散されて文字板２１全体に導光される。文字板２１全体に導光された光は、遮光層２１３が施されていないエンジン回転数を示す数字部分を透過して正面に出射される。これにより、文字板用光源Ｌ１が発光すると、文字板２１のエンジン回転数を示す数字部分が光輝して視認される。
【００４１】
また、上述した文字板２１の開口２１４から背面に設けられたＬＣＤ２２が露出している。このＬＣＤ２２の背面には、ＬＣＤ照明用基板２８が配置されている。このＬＣＤ照明用基板２８には、複数のＬＣＤ用光源Ｌ４が搭載されている。上述したＬＣＤ２２及びＬＣＤ照明用基板２８は受け皿状のホルダ部２９内に収容・保持されている。このホルダ部２９の正面側には、図３に示すように、文字板２１が取り付けられている。
【００４２】
また、図３及び図７に示すように、ケーシング７は、リング部２３に沿って立設されリング部２３の背面を支持する立壁３０（図３）を有している。ケーシング７には、リング部２３に設けた位置決めタブ（図示せず）が嵌め込まれる位置決め凹部３０１（図７）が設けられている。
【００４３】
位置決め凹部３０１の中央には、上記位置決めタブに設けた位置決め穴（図示せず）と嵌合する位置決め凸部７１が設けられている。ケーシング７に設けた位置決め凸部７１にリング部２３に設けた位置決め孔を嵌合させた状態で、ケーシング７の立壁３０上にリング部２３を搭載させると、リング部２３の位置決めを行うことができる。
【００４４】
上記ケーシング７とホルダ部２９との間にはアーム状のホルダ保持部３１が設けられている。ホルダ保持部３１は、立壁３０に近づくに従ってその幅が大きくなるように形成されている。ケーシング７、ホルダ部２９及びホルダ保持部３１は一体に形成されている。これにより、ホルダ部２９がケーシング７に支持される。なお、ホルダ保持部３１は、指針２４が回動しない範囲に設けられている。図３に示すように、リング部２３の背面がケーシング７の立壁３０により支持されている。
【００４５】
また、立壁３０には、図４及び図５に示すように、着色層２１５に沿った内側面に着色層２１５と同色、即ち赤色の着色層３０３（立壁着色層）が設けられている。着色層３０３は、例えば赤色インクを印刷や、塗装して設けられる。また、赤色に着色されたシートを貼り付けてもよい。
【００４６】
また、図３に示すように、ＬＣＤ２２、ＬＣＤ照明用基板２８にはそれぞれ、フレキシブルプリント配線板（ＦＣＰ）３３及び接続コネクタＣを介して配線基板２７に接続されており、配線基板２７から給電を受けている。
【００４７】
上述した指針２４は、導光部材から構成されている。内機２６の回転軸Ｚに固定された指針２４は、文字板２１の背面、文字板２１の外側面、文字板２１の正面の順に沿って設けられている。そして、文字板２１の正面に沿って設けられた先端部２４１（＝一部）が、文字板２１とリング部２３との間に設けられている。また、指針２４の先端部２４１の内機２６にむかう側は、リング部２３に覆われている。指針２４の先端部２４１の先端側は、リング部２３から露出している。
【００４８】
より詳しく説明すると、指針２４は、文字板２１の背面に沿って設けられた第１指針部２４２と、文字板２１の外側面に沿って設けられた第２指針部２４３と、文字板２１の正面に沿って設けられた上記先端部２４１とを有している。
【００４９】
また、指針２４は、指針用光源Ｌ２に向かって突出する指針受光部２４４が設けられている。指針２４には、指針受光部２４４から入射した光を第１指針部２４２に沿った方向に反射する第１反射面２４５と、第１反射面２４５から反射された光を第２指針部２４３に沿った方向に反射する第２反射面２４６と、第２反射面２４６から反射された光を先端部２４１に沿った方向に反射する第３反射面２４７とを備えている。
【００５０】
なお、本実施形態では、指針２４と、文字板２１との発光色を異なる色にしている。そこで、上記指針用光源Ｌ２は遮光壁３２により囲まれている。この遮光壁３２により、指針受光部２４４には、指針用光源Ｌ２からの光のみが入射され、文字板用光源Ｌ１からの光が入射されることがない。従って、指針用光源Ｌ２と文字板用光源Ｌ１との発光色が混ざった状態で指針２４が光輝するのを防ぐことができる。
【００５１】
以上の構成により、指針用光源Ｌ２からの主光Ｌ５は指針受光部２４４から指針２４内に入射されると、第１反射面２４５で反射され第１指針部２４２に沿って進む。その後、第２反射面２４６で反射され第２指針部２４３に沿って進み、第３反射面２４７で反射されて先端部２４１に沿って進む。これにより、指針２４の先端部２４１が光輝する。
【００５２】
また、指針２４には、内機２６の回転軸Ｚを挟んだ第１指針部２４２とは反対側にはウエイトＢが嵌め込まれたウエイト部２４８が設けられている。このウエイト部２４８によって指針２４が第１指針部２４２側に傾くのを防止している。
【００５３】
また、指針２４の先端部２４１が文字板２１とリング部２３との間に設けられているため、リング部２３内を導光しているリング用光源Ｌ３からの光が副光として指針２４の先端部２４１に入射されて、指針２４の先端部２４１の輝度を向上させることができる。
【００５４】
上述した指針装置における各種光源や、外部からの光の進み方について以下説明する。今、昼間など外光が多いときは、文字板２１、リング２３、指針２４が外光によって照明されて視認される。また、図５に示すように、外光は、リング部２３に設けられたレッドゾーン表示部２３３を通り抜けて文字板２１上に設けた着色層２１５で反射した後、再びレッドゾーン表示部２３３を通り抜けて正面側に出射される。即ち、レッドゾーン表示部２３３を通して文字板２１上の着色層２１５が正面から視認される。
【００５５】
また、外光は、リング部２３に設けられたレッドゾーン表示部２３３を通り抜けて立壁３０の内側面に設けた着色層３０３で反射した後、再びレッドゾーン表示部２３３を抜けて正面側に出射される。即ち、レッドゾーン表示部２３３を通して着色層３０３が斜め方向から視認される。
【００５６】
また、夜間など外光が少ないときは、文字板用光源Ｌ１によって文字板２１上の数字が光輝して視認される。また、リング用光源Ｌ３によってリング部２３上の目盛部２３１、レッドゾーン表示部２３３が光輝して視認される。さらに、指針用光源Ｌ２によって指針２４が光輝して視認される。
【００５７】
また、文字板用光源Ｌ１から文字板２１の背面に入射された光Ｌ１０は、図５に示すように、着色層２１５、リング部２３のレッドゾーン表示部２３３を通過して正面側に出射される。これにより、レッドゾーン表示部２３３を通して文字板２１上の着色層２１５が正面から視認される。また、文字板用光源Ｌ１からの光は、立壁３０の内側面に設けた着色層３０３で反射してリング部２３のレッドゾーン表示部２３３を通過して正面側に出射される。即ち、レッドゾーン表示部２３３を通して立壁３０上の着色層３０３が斜め方向から視認される。
【００５８】
以上の構成によれば、リング部２３に設けた帯状のレッドゾーン表示部２３３を通してリング部２３から十分離間して配置された文字板２１に設けられた着色層２１５が視認され、リング部２３のレッドゾーン表示部２３３を立体に形成しなくてもレッドゾーン表示部２３３に立体感を持たせることができる。また、指針２４の先端部２４１がレッドゾーン表示部２３３下を移動する際は、図８に示すように、レッドゾーン表示部２３３を通して文字板２１上に先端部２４１の長さを延長して見せることができる。しかも、平面な文字板２１上に着色層２１５を設けることができるため、生産性の向上を図ると共に、立体感、視認性を向上させることができる。
【００５９】
また、上述した構成の指針装置によれば、指針２４が、文字板２１の背面、文字板２１の外側面及び文字板２１の正面の順に沿って設けられているので、文字板２１正面の中央部で指針２４が回動することなく文字板２１上を指示することができる。このため、指針２４によって文字板２１の中央部に設けたＬＣＤ２２の視認が邪魔されることがない。
【００６０】
また、上述した構成の指針装置によれば、リング部２３の外周の背面を支持する立壁３０が設けられ、着色層２１５に沿った立壁３０の内側面に着色層２１５と同色の着色層３０３が設けられている。このため、図５に示すように、斜め方向から視認するとリング部２３に設けた帯状のレッドゾーン表示部２３３を通して立壁３０の内側面に設けた着色層３０３が視認され、斜め方向からの視認に対してもレッドゾーン表示部２３３全体が赤色に着色されて視認することができる。
【００６１】
また、上述した構成の指針装置によれば、指針２４が導光部材で構成されているため、指針２４の先端部２４１がレッドゾーン表示部２３３下を移動する際は指針２４も赤色に着色されて視認される。指針２４がレッドゾーン表示部２３３を指示していることを強調して、運転者に注意を促すことができる。
【００６２】
また、上述した構成の指針装置によれば、文字板２１が、透光基板２１２と、該透光基板２１２の正面に設けた文字板遮光層２１３とを有し、指標及び着色層２１５が、文字板遮光層２１３を除かれて設けられ、文字板２１の背面に配置された文字板用光源Ｌ１が設けられているので、文字板用光源Ｌ１からの光が着色層２１５、リング部２３のレッドゾーン表示部２３３を通って正面側に出射されるので、レッドゾーン表示部２３３を通して文字板２１上の着色層２１５がよりはっきりと視認される。
【００６３】
また、上述した構成の指針装置によれば、文字板２１の中央に設けた開口２１４の背面にＬＣＤ２２を配置する構成においてレッドゾーン表示部２３３に立体感を持たせることができる。
【００６４】
なお、上述した実施形態によれば、ゾーン表示部２３３としては、赤色に視認され、指標の危険領域に相当するように設けていたが、本発明はこれに限ったものではない。例えば、青や緑色に視認され、指標の安全や、経済的領域を示すグリーンゾーン表示部を設けてもよい。
【００６５】
また、上述した実施形態によれば、指針２４を導光性部材で構成して、夜間は指針２４を自発光させて視認させていたが、本発明はこれに限ったものではない。例えば、指針２４を導光部材で構成しないで、夜間は正面側から照明を当てて視認させるようにしてもよい。
【００６６】
また、上述した実施形態によれば、リング部２３には目盛部２３１を設けていたが、本発明はこれに限ったものではない。例えば、リング部２３には、レッドゾーン表示部２３３のみを設けて目盛部２３１は設けなくてもよい。
【００６７】
また、上述した実施形態によれば、リング部２３の形状はドーナツ状に設けられていたが、本発明はこれに限ったものではない。例えば、円弧状であってもよい。即ち、リング部２３は、文字板２１の外周縁部の少なくとも一部を覆っていればよい。
【００６８】
また、上述した実施形態によれば、指針２４が、文字板２１の背面、文字板２１の外側面及び文字板２１の正面の順に沿って設けられていたが、本発明はこれに限ったものではない。指針２４は、少なくとも一部が文字板２１とリング部２３との間に設けられていれば、どんな形状であっても良い。
【００６９】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００７０】
【図１】本発明の指針装置を組み込んだコンビネーションメータの正面図である。
【図２】図１に示すコンビネーションメータを構成する回転計の概念斜示図である。
【図３】図２に示す回転計の断面図である。
【図４】図２に示す回転計の部分断面斜示図である。
【図５】図２に示す回転計の断面図である。
【図６】図２に示す回転計を構成する文字板の正面図である。
【図７】図２に示す回転計を構成するホルダ部、ケーシングの概略正面図である。
【図８】図２に示す回転計の部分正面図である。
【図９】従来提案されている指針装置の要部を示す斜示図である。
【図１０】図９に示した要部に対応する断面図である。
【図１１】従来の問題点を説明するための上面図である。
【符号の説明】
【００７１】
２      速度計（指針装置）
３      回転計（指針装置）
２１    文字板
２２    ＬＣＤ（表示器）
２３    リング部
２４    指針
３０    立壁
２１２  透光基板
２１３  遮光層（文字板遮光層）
２１５  着色層（文字板着色層）
２３２  遮光層（リング遮光層）
２３３  レッドゾーン表示部（ゾーン表示部）
３０３  着色層（立壁着色層）
Ｌ１    文字板用光源
Ｚ      回転軸
【図１】
2008020388.tif 000003
【図２】
2008020388.tif 000004
【図３】
2008020388.tif 000005
【図４】
2008020388.tif 000006
【図５】
2008020388.tif 000007
【図６】
2008020388.tif 000008
【図７】
2008020388.tif 000009
【図８】
2008020388.tif 000010
【図９】
2008020388.tif 000011
【図１０】
2008020388.tif 000012
【図１１】
2008020388.tif 000013